(57)【特許請求の範囲】
【請求項１】
光が入光する端面である入光側面、前記入光側面と向い合う対向側面、前記入光側面と前記対向側面とを連結する出光面、および、前記出光面と向かい合う底面、を有する直方体形状であって、前記入光側面から入光した光を前記出光面から射出する導光板を用意し、
前記導光板において前記入光側面と前記対向側面とを結ぶ方向を横幅方向として、前記入光側面と前記対向側面との間の距離を前記導光板の横幅長ＬＳとし、
前記出光面と前記底面とを結ぶ方向を高さ方向とし、前記出光面と前記底面との間の距離を前記導光板の高さＬＨとし、
前記導光板において前記横幅方向および前記高さ方向の両方に直交する方向を縦幅方向として、前記導光板の前記縦幅方向の長さを縦幅長ＬＬとし、
前記導光板の前記底面に積層するように反光片を設け、
幅ＦＬが前記導光板の前記縦幅長ＬＬと同じであって、かつ、長さが十分に長い長方形板体状の量子ドットフィルムを用意し、
前記量子ドットフィルムを裁断して、その長さＦＳが、前記導光板の横幅長ＬＳと、前記導光板の前記高さＬＨの二倍（２×ＬＨ）と、の和（ＬＳ＋２ＬＨ）よりも長く、かつ、前記導光板の横幅長ＬＳの二倍（２×ＬＳ）と、前記導光板の前記高さＬＨの二倍（２×ＬＨ）と、の和（２ＬＳ＋２ＬＨ）よりも短くなるようにし、裁断によってできる二つの縁部を裁断縁部とし、
前記裁断された前記量子ドットフィルムを前記導光板の前記出光面に重ね、さらに、前記入光側面と前記対向側面とに重なるように折り曲げ、さらに、前記反光片に重なるように折り曲げ、前記裁断縁部は前記反光片に重なり、
このとき、前記量子ドットフィルムにおいて前記反光片と重なっている部分を前記量子ドットフィルムの延伸段とし、
前記導光板と、前記反光片と、前記量子ドットフィルムと、からなるユニットを導光板モジュールとし、
前記導光板モジュールをプラスチックフレームの内側に収納して、前記プラスチックフレームが前記導光板モジュールの周囲を囲むようにし、
このとき、前記プラスチックフレームの底面と前記量子ドットフィルムの延伸段とが面一になり、
前記プラスチックフレームの底面および前記導光板モジュールの底面の全体にわたって両面テープを設け、
さらに、前記両面テープの外側表面上に保護膜を設け、
前記導光板の前記入光側面と前記プラスチックフレームとの間にバックライトを配置する
ことを特徴とするバックライトモジュールの製造方法。
【請求項２】
請求項１に記載のバックライトモジュールの製造方法において、
前記量子ドットフィルムは、大小サイズが一定の比率で混合された量子ドットをＰＥＴ材料で包装して形成される
ことを特徴とするバックライトモジュールの製造方法。
【請求項３】
請求項１または請求項２に記載のバックライトモジュールの製造方法において、
前記導光板の前記出光面に重なっている前記量子ドットフィルム上に光学フィルムを積層する
ことを特徴とするバックライトモジュールの製造方法。
【請求項４】
請求項１から請求項３のいずれかに記載のバックライトモジュールの製造方法でバックライトモジュールを製造し、
前記バックライトモジュールにさらに液晶パネルを積層して表示装置とする
ことを特徴とする表示装置の製造方法。
【発明の詳細な説明】
【技術分野】
【０００１】
本発明は、２０１５年６月１２日に提出した申請番号２０１５１０３２６０６５．Ｘ・発明名称「バックライトモジュールと表示装置」の先願優先権を要求し、前記戦術の内容は引用で本文中に合併される。
【０００２】
本発明は液晶表示技術分野に関し、特にバックライトモジュールと表示装置に関する。
【背景技術】
【０００３】
液晶モニターは、現在の市場上の主流のフラットパネル表示装置技術である。そして表示装置は、バックライトを光源として液晶表示器を点灯させる必要がある。従来のバックライトモジュールはＬＥＤで構成されたバックライトを備え、バックライトの光線は導光板によって、光源が面光源に変換されて射出され、拡散片の均等な光の拡散作用によって、バックライトモジュールから出射され、液晶パネルを経た後、我々が必要とする画像を表示させる事ができる。科学技術の進歩により、人々の表示装置の品質への要求がだんだん高まっており、高色域の本分野の注目のトピックとなっている。
【０００４】
現在の市場において、注目の技術の一つは、量子ドット（ｑｕａｎｔｕｍ ｄｏｔ）を採用することでバックライト色域を改良する方法である。量子ドットは、準ゼロ次元のナノ材料からなり、少量の原子によって構成される。その粒径は一般に１〜１０ｎｍの間であり、電子と空洞が量子閉じ込めされているため、連続したバンド構造は、分子特性を備えた離散的エネルギー準位構造となり、誘導後、蛍光を放出することができ、さらに光が注入された色域を変えることができる。
【０００５】
バックライトモジュールにおいて、主に、蛍光物質を量子ドットフィルムに代替し、量子ドットフィルムを導光板とプリズム片の間に装填することで、液晶表示装置の色域を改善させる。しかしながら、量子ドットフィルムは、水や酸素などの外的条件の影響を受けやすいため、厚く包装され（一般の量子ドットフィルムは２１０ｕｍ以上に達する）、かつ縁部が効力を失う問題が存在するので、電子製品において、特に薄型化携帯電話での応用においては、制限される。
【発明の概要】
【発明が解決しようとする課題】
【０００６】
本発明は、量子ドットフィルムがバックライト色域を上げる時、縁部の効力が失われるという技術問題を解決できるバックライトモジュールを提供することを目的とする。
【０００７】
また、本発明は、表示装置を提供することを目的とする。
【課題を解決するための手段】
【０００８】
上述の目的を実現するために、本発明の実施例は、以下の技術法案を提供する。
【０００９】
本発明は、バックライトモジュールを提供し、前記バックライトモジュールは、プラスチックフレームと、導光板と、バックライトと、反光片と、量子ドットフィルムと、からなり、前記導光板と、バックライトと、反光片と、量子ドットフィルムは、前記プラスチックフレーム内に設けられる。前記バックライトは、前記導光板の入光側に配置され、前記量子ドットフィルムは、本体と、本体の向かい合う両側に位置した延伸段とを備え、前記反光片と、前記量子ドットフィルムの本体は、前記導光板における向かい合う両側の表面に積層され、前記二つの向かい合う延伸段は、前記導光板の入光側と入光側に他側に向かってそれぞれ折り曲げられた後、前記反光片に貼り合わされる。
【００１０】
なお、前記導光板は、入光側に向かい合う側面と、入光側と側面を連結する出光面と、出光面に向かい合う底面を備え、前記反光片は、底面上に重なり合って設けられ、前記量子ドットフィルムは、前記出光面上に積層される。前記二つの延伸段は、前記入光側と前記側面に向かってそれぞれに折り曲げられた後、前記反光片における底面から離れた表面に貼り合わされる。
【００１１】
なお、前記二つの延伸段と前記反光板の間には、両面テープが設けられる。
【００１２】
なお、前記二つの延伸段における前記反光板から離れた表面には、両面テープが設けられ、前記両面テープの周囲は前記フレームと固定される。
【００１３】
なお、前記量子ドットフィルムの延伸段が折り曲げられた後、前記反光板と貼り合わされた長さは、反光板の半分の長さ以下である。
【００１４】
なお、バックライトモジュールは、さらに光学フィルムを備え、前記光学フィルムは、前記量子ドットフィルムの本体上に重なり合って設けられる。
【００１５】
なお、前記量子ドットフィルムの延伸段が延在する方向の縁部は、量子ドットフィルムが裁断された時の裁断縁部である。
【００１６】
なお、前記量子ドットフィルムは、大小サイズが一定の比率で混合された量子ドットをＰＥＴ材料で包装して形成される。
【００１７】
本発明は、表示装置を提供し、表示装置は、液晶パネルと前記バックライトモジュールとを備え、前記液晶パネルは、前記バックライトモジュール上に設けられ、且つ、前記液晶パネルには、前記光学フィルムが覆われている。
【００１８】
なお、前記二つの延伸段における前記反光板から離れた表面に両面テープが設けられた時、前記両面テープは、前記液晶パネルと光学フィルムに固定される。
【００１９】
本発明のバックライトモジュールは、前記量子ドットフィルムを裁断する過程において効力を失効しやすい縁部を前記反光片の底部に設けることで、前記導光板の入光と出光に影響を及ぼさないとともに、導光板の出光面縁部部分の量子ドットフィルムが効力を失効して表示装置の表示の画面の效果に影響するのを回避することができる。
【図面の簡単な説明】
【００２０】
本発明の技術方案を明確に説明するために、以下に、実施例において必要とされる図面を簡単に説明する。以下の記述にある図面は、本発明の実施例の一部にすぎず、一般的な本分野の技術者は、創造性のある労働をせずとも、これらの図面をもとに、その他の図面を考え出すことができる。
【００２１】
【図１】本発明の好ましい実施例のバックライトモジュールの断面図である。
【図２】本発明のバックライトモジュールの量子ドットフィルムのもう一つの取り付け方式の断面図である。
【発明を実施するための形態】
【００２２】
以下、本発明実施例の中の添付画面に基づいて、本発明実施例の技術法案について明確させるため、完全に説明する。
【００２３】
図１と図２を参照する。本発明の好ましい実施例はバックライトモジュールを提供し、前記バックライトモジュールは、プラスチックフレーム１０と、導光板１１と、バックライト（図示せず）と、反光片１２と、量子ドットフィルム１３と、からなる。前記導光板１１と、バックライトと、反光片１２と、量子ドットフィルム１３は、前記プラスチックフレーム１０内に設けられる。前記バックライトは、前記導光板１２の入光側１１１に配置される。前記量子ドットフィルム１３は、本体３１と、本体１３１の向かい合った両側に配置された延伸段１３２とを備え、前記反光片１２と、前記量子ドットフィルム１３の本体１３１は、前記導光板１１の二つの向かい合う表面に積層される。前記二つの向かい合う延伸段１３２は、前記導光板１１の入光側１１１と、入光側１１１と向かい合う他側に向かってそれぞれ折り曲げられた後、前記反光片１２に貼り合わされる。
【００２４】
具体的には、前記プラスチックフレーム１０は、矩形の筐体であり、前記量子ドットフィルム１３と、導光板１１と、反光片１２は、順次重畳して設けられ、前記プラスチックフレーム１０は、前記量子ドットフィルム１３と導光板１１と反光片１２が形成されたモジュールの周縁を取り囲む。前記バックライトはＬＥＤライトであり、ＬＥＤライトは前記プラスチックフレーム１０と前記導光板１１の入光側の間に設けられるとともに、前記バックライトモジュールが光を提供するために使用される。
【００２５】
さらに、前記導光板１１は、入光側１１１と向かい合う側面１１２と、入光側１１１及び側面１１２を連結する出光面１１３と、出光面１１３に向かい合う底面１１４とを備える。前記反光片１２は、底面１１４上に重なり合って設けられ、前記量子ドットフィルム１３は、前記出光面１１３上に積層される。前記二つの延伸段１３２は、前記入光側１１１と、前記側面１１２に向かってそれぞれ折り曲げられた後、前記反光片１２における底面１１４から離れた表面に貼り合わされる。ここで理解が必要なのは、前記延伸段１３２が前記入光側１１１及び前記側面１１２へ折り曲げられるとともに、前記入光側１１１と前記側面１１２へ密着された後、再び反光片１２がある平面へ折り曲げられ、前記反光片１２と貼り合わされる、という点である。
【００２６】
さらに、前記量子ドットフィルム１３の延伸段１３２が折り曲げられた後、前記反光板１２と貼り合わされた長さは、反光板１２の半分の長さ以下である。本実施例において、延伸段１３２と反光板１２が貼り合わされた長さは、具体的状況に従って決まる。最も良いのは、延伸段１３２の縁部の効力の失効がバックモジュールに対して影響するのを防止することができるとともに、量子ドットフィルム１３をうまく固定することができ、コストのバランスをとることができる方式である。
【００２７】
具体的には、前記導光板１１は矩形板体である。前記量子ドットフィルム１３は、長方形板体状であり、長方形板体状の幅の長さは、前記導光板１１の幅の長さ（即ち、入光側の長さ）以下である。ただし、前記前記量子ドットフィルム１３の幅の長さは、前記導光板１１の幅の長さに等しいのが好ましい。前記量子ドットフィルム１３の長さは、前記導光板１１の長さ（即ち、前記入光側１１１と前記側面１１２の間の距離）より長い。前記量子ドットフィルム１３の延伸段１３２と前記反光片１２とが、貼り合わされた部分の長さは、１ｍｍより大きい。
【００２８】
前記量子ドットフィルム１３は、大小サイズが一定の比率で混合された量子ドットをＰＥＴ等の材料で包装して形成されたフィルム基材を、裁断して形成される。量子ドットのサイズは、それぞれ異なるか、或いは一部は同一であり、一定の比率に応じて混合を行う。前記量子ドットフィルム１３の延伸段１３２が延在する方向の縁部は、量子ドットフィルムが裁断される時の裁断縁部である。この縁部は、水や酸素などの外的条件の影響を受けやすく、縁部の効力が失われるという問題があるが、本発明の量子ドットフィルム１３は縁部を前記反光片１２の下側に設けるのであって、前記導光板１１の出光面１１３縁部と水平に設けるわけではないため、出光面１１３縁部においての量子ドットフィルムの効力の失効を回避するのみならず、出光の品質を得られる。そのうえ前記量子ドットフィルム１３の効力が失効しやすい縁部は、前記反光片１２の下側に設けられるため、導光板の出光に影響しない。
【００２９】
図１を参照する。さらに、前記二つの延伸段１３２と前記反光板１２との間には、両面テープ１４が設けられる。前記両面テープ１４は、前記延伸段１３２と前記反光板１２に固定され、両面テープの使用量を節約することができる。
【００３０】
図２を参照する。さらに、前記二つの延伸段１３２における前記反光板１２から離れた表面には、両面テープ１５が設けられ、前記両面テープ１５周りと前記フレーム１０は固定される。また、前記両面テープ１５の外側表面上には、保護膜１６が設けられ保護膜１６は、両面テープ１５が汚染や効力の失効の影響を受けないように保護するのに用いられる。
【００３１】
さらに、バックライトモジュールは、さらに光学フィルム１７を備え、前記光学フィルム１７は、前記量子ドットフィルム１３の本体１３１を覆う。
【００３２】
本発明は表示装置を提供し、前記表示装置は、液晶パネルと、上述のバックライトモジュールとを備え、前記液晶パネルは、前記バックライトモジュールに設けられ、そして前記液晶パネルには、前記光学フィルム１７が覆われている。
【００３３】
本発明のバックライトモジュールは、量子ドットフィルム１３を採用して表示装置の高色域表示品質を実現するとともに、前記量子ドットフィルム１３を切断する過程において効力を失効しやすい縁部を、前記反光片の底部に設けることで、前記導光板の入光と出光に影響を及ぼさず、また導光板１１の出光面１１３縁部部分の量子ドットフィルムが効力を失効して表示装置表示画面の效果に影響するのを回避することができる。また、本発明のバックライトモジュール構造は簡単であり、且つ表示モジュールの高色域表示を保証することができる。
【００３４】
前述した内容は、本発明の好ましい実施例である。本技術分野の一般的な技術者は、発明の原理を逸脱しない前提の下、若干の改良と修正を行うことができ、これらの改良と修正も本発明の保護範囲とみなすものとする。
【符号の説明】
【００３５】
１０    プラスチックフレーム
１１    導光板
１１１  入光側
１１２  側面
１１３  出光面
１１４  底面
１２    反光片
１３    量子ドットフィルム
１３１  本体
１３２  延伸段
１４    両面テープ
１５    両面テープ
１６    保護膜
１７    光学フィルム
３１    本体
【図１】
0006514349.tif 000002
【図２】
0006514349.tif 000003